(57)【要約】  【課題】背フレームにより、他の什器を損傷させたり、張り材が破損したりするのを防止することができるようにした椅子の背凭れ装置を提供する。  【解決手段】上下方向を向く左右の側部フレーム１４a，１４aの上端同士を、左右方向を向く上部フレーム１４bにより連結してなる背フレーム１１を、下方が開口する袋状の張り材１２により覆ってなる椅子の背凭れ装置において、背フレームを１１を、硬質材料よりなる背フレーム本体１４と、この背フレーム本体１４における両側部フレーム１４a，１４aの外側面に取り付けられた、背フレーム本体１４よりも軟質の保護材１５、１５とを備えるものとする。【選択図】図３
2009112396.tif 000002
【特許請求の範囲】
【請求項１】
上下方向を向く左右の側部フレームの上端同士を、左右方向を向く上部フレームにより連結してなる背フレームに、下方が開口する袋状の張り材を張設してなる椅子の背凭れ装置において、
前記背フレームを、硬質材料よりなる背フレーム本体と、この背フレーム本体における前記両側部フレームの外側面に取り付けられた、背フレーム本体よりも軟質の保護材とを備えるものとしたことを特徴とする椅子の背凭れ装置。
【請求項２】
保護材の上端部に連設した内向折曲部により、少なくとも両側部フレームと上部フレームとの連結角部の外面をも覆うようにしてなる請求項１記載の椅子の背凭れ装置。
【請求項３】
保護材と背フレーム本体との対向面のいずれか一方に、長手方向を向く凹溝を、かつ他方に、前記凹溝に嵌合しうるように、それと補形をなすようにした凸条を設けてなる請求項１または２記載の椅子の背凭れ装置。
【請求項４】
背フレーム本体における保護材が取り付けられる部分を、保護材の厚さ分だけ凹ませてなる請求項１〜３のいずれかに記載の椅子の背凭れ装置。
【発明の詳細な説明】
【技術分野】
【０００１】
本発明は、背フレームを、下方が開口する袋状の張り材で覆ってなる椅子の背凭れ装置に関する。
【背景技術】
【０００２】
上述のような椅子の背凭れ装置は、例えば、特許文献１及び２に記載されており、公知である。
【０００３】
特許文献１に記載されている椅子の背凭れ装置は、上下方向を向く左右の側部フレームの上端同士を、左右方向を向く上部フレームにより連結してなる、正面視下向きコ字状に形成された硬質の背フレームを備え、背フレーム全体を、下方が開口する袋状、かつメッシュ等よりなる張り材で覆った構成となっている。
【０００４】
特許文献２に記載されている背凭れ装置は、左右方向を向く上部フレーム及び下部フレームと、この上下の両フレームの各端部同士を連結している上下方向を向く左右の側部フレームにより、正面形がほぼ方形をなす硬質合成樹脂製の背フレームを備え、背フレームの前面に、メッシュ状の張り材を張設して構成されている。
【特許文献１】欧州特許出願公開第０９２２４１９号明細書(図３〜図６)
【特許文献２】特開２００６−１１００００号公報
【発明の開示】
【発明が解決しようとする課題】
【０００５】
上記特許文献１及び特許文献２に記載されている従来の椅子の背凭れ装置においては、いずれも、背フレーム全体が硬質材で形成されているため、背フレームの外側の張り材と他の什器とが擦れたり、ぶつかったりした際に、他の什器を損傷させたり、張り材が破損したりする恐れがあった。
【０００６】
本発明は、上記問題点に鑑みてなされたもので、背フレームにより、他の什器を損傷させたり、張り材が破損したりするのを防止しうるようにした椅子の背凭れ装置を提供することを目的としている。
【課題を解決するための手段】
【０００７】
本発明によると、上記課題は、次のようにして解決される。
（１）上下方向を向く左右の側部フレームの上端同士を、左右方向を向く上部フレームにより連結してなる背フレームに、下方が開口する袋状の張り材を張設してなる椅子の背凭れ装置において、前記背フレームを、硬質材料よりなる背フレーム本体と、この背フレーム本体における前記両側部フレームの外側面に取り付けられた、背フレーム本体よりも軟質の保護材とを備えるものとする。
【０００８】
（２）上記(１)項において、保護材の上端部に連設した内向折曲部により、少なくとも両側部フレームと上部フレームとの連結角部の外面をも覆うようにする。
【０００９】
（３）上記(１)または(２)項において、保護材と背フレーム本体との対向面のいずれか一方に、長手方向を向く凹溝を、かつ他方に、前記凹溝に嵌合しうるように、それと補形をなすようにした凸条を設ける。
【００１０】
（４）上記(１)〜(３)項のいずれかにおいて、背フレーム本体における保護材が取り付けられる部分を、保護材の厚さ分だけ凹ませる。
【発明の効果】
【００１１】
請求項１記載の発明によれば、背フレーム本体における左右の側部フレームの外側面に、背フレーム本体よりも軟質の保護材を取り付けているので、保護材を取り付けた部分の背フレーム本体外側の張り材が他の什器と擦れたり、ぶつかったりしても、張り材が破損したりすることはない。
また、背フレームが他の什器にぶつかったりしても、保護材がクッションの役目をし、外力を吸収して衝撃力を緩和するので、他の什器に損傷を与えることはない。
【００１２】
請求項２記載の発明によれば、両側部フレームと上部フレームとの連結角部の外面も保護材により覆っているので、背凭れの上部の左右角部における張り材の破損を防止することができる。
【００１３】
請求項３記載の発明によれば、保護材を、背フレーム本体に、位置決めして簡単に、かつねじ等を用いることなく確実に止着することができる。
【００１４】
請求項４記載の発明によれば、背フレーム本体と保護材の外側面とが同一面に整合するので、見栄えがよくなる。
【発明を実施するための最良の形態】
【００１５】
以下、本発明の実施形態を、図面に基づいて説明する。
図１は、本発明を適用した椅子の正面図、図２は、同じく椅子の側面図、図３は、背凭れの分解斜視図である。
【００１６】
図１及び図２において、椅子１は、先端にキャスタ２が取り付けられた放射方向を向く５本の脚杆３からなる脚体４と、その中心に立設され、内部に収容されたガススプリング(図示略)により伸縮可能とされた脚柱５と、脚柱５の上端に固着された支基６と、支基６の上部に取り付けられた座体７と、支基６の両端部に前端が枢着された背杆８と、背杆８の上部に取り付けられ、支基６の後端と背杆８の後部との間に介設されたガススプリング９の付勢力に抗して後傾させうる背凭れ１０とを備えている。
【００１７】
背凭れ１０は、背フレーム１１と、その下端を除く全面を覆う、下方が開口された袋状の張り材１２とを備えている。
【００１８】
図３及び図４に示すように、互いに平行に離間する左右１対の背杆８，８は、座体７の後部下方において前方を向き、前端側が支基６に枢着され、後端側に座体７の後上方において起立する起立部８aを有して、ほぼ側面視前向きＬ字状に形成されている。両起立部８aの対向面同士は、連結板１３により連結されている。
【００１９】
背フレーム１１は、硬質の合成樹脂材料により形成された背フレーム本体１４と、背フレーム本体１４よりも軟質の材料、例えばゴム、エラストマー、軟質プラスチック等により形成された左右１対の保護材１５、１５とを備えている。
【００２０】
背フレーム本体１４は、上下方向を向く左右の側部フレーム１４a，１４aと、両側部フレーム１４aの上端同士を連結している左右方向を向く上部フレーム１４bと、左右の側部フレーム１４a，１４aの下端に連設された左右方向を向く下部フレーム１４cとにより、下部が若干狭幅をなす正面視ほぼ方形枠状に一体的に形成されている。上部フレーム１４bと下部フレーム１４cとの間には、左右の側部フレーム１４a，１４aの上下方向の中間部同士を連結する、左右方向を向く中間フレーム１４dが、側部フレーム１４a，１４aと一体的に形成されている。
【００２１】
左右の側部フレーム１４a，１４aは、座者の腰部付近、すなわち上下方向の中央部よりもやや下方の中間部１６(以下、折曲部１６という)が、側面視において前方に突出するように、ほぼく字状に折曲されている。上部フレーム１４bと、下部フレーム１４cは、それぞれ後向き凸円弧状に緩やかに湾曲されている。
【００２２】
中間フレーム１４dは、図３及び図４に示すように、左右の側部フレーム１４a，１４aの折曲部１６から大きく上方に離間し、比較的上部フレーム１４bに近い位置に連設され、上下方向に所定の幅を有する板状に形成されている。
また、中間フレーム１４dは、図５の横断平面図に示すように(それに取付けた付属部品は、図示略)、左右方向の中央部が、左右の側部フレーム１４aよりも大きく後方に突出するように、平面視後向き凸円弧状に湾曲されており、後述するように、袋状の張り材１２が背フレーム１１に被せられたとき、張り材１２における前側の張り材１２a と後側の張り材１２bとの対向面間に、大きな空間が形成されるようになっている。
【００２３】
中間フレーム１４dの左右方向の中央部には、前後方向に貫通する複数の取付孔１７が設けられ、オプション部材が取付可能となっている。
オプション部材としては、例えば銘板あるいはハンガー等であり、本実施形態では、銘板１８が取り付けられている。すなわち、銘板１８は、それに設けた取付孔１９と中間フレーム１４dの取付孔１７とに挿通され、かつ中間フレーム１４dの前面側に配置された取付板２０のねじ孔(図示略)に、図４に示す取付ねじ２１を螺合することにより、中間フレーム１４dの後面に取り付けられている。
【００２４】
図３に示すように、下部フレーム１４cにおける後面の下部中央には、後方と下方に開口する後面視下向きコ字状の凹部２２が形成され、この凹部２２内には、図４に示すように、下部フレーム１４cの底面にねじ(図示略)により固定される底板２３と、背凭れ下部カバー２４との中央部にそれぞれ設けられた開口２５，２６を挿通して、背杆８の起立部８a，８a及び連結板１３が挿入されるようになっている。
【００２５】
凹部２２内に挿入された起立部８a，８a及び連結板１３は、これら起立部８a，８a及び連結板１３を挟んで、下部フレーム１４cの後面にねじ(図示略)により固定される取付板２７により固定されている。これにより、背フレーム１１は、背杆８に固定されている。なお、取付板２８を取り付けた後、凹部２２の後部の開口は、背凭れ後部カバー２８により閉塞される。
【００２６】
図３〜図５に示すように、背フレーム本体１４における上部フレーム１４bと左右の側部フレーム１４a，１４aとの連結角部から、側部フレーム１４aの折曲部１６付近までの外側面には、上下方向を向く切欠凹溝２９、２９が形成され、両切欠凹溝２９、２９の外側面には、やや前部側が外側方に大きく突出する凸条３０が、長手方向に向かって一体的に形成されている。
【００２７】
上述した左右の保護材１５、１５は、上記切欠凹溝２９に嵌合されて、これを覆いうる上下寸法とされ、かつ前後寸法は、側部フレーム１４aの外側部の前後寸法とほぼ等しい寸法とされ、内側面には、凹溝３１が、長手方向に向かって形成されている。
【００２８】
図５及び図６に示すように、側部フレーム１４bの凸条３０と保護材１５の凹溝３１とは、それらが密に嵌合されるように、互いに補形をなす形状とされている。なお、背フレーム本体１４における保護材１５が取り付けられる部分に設けた切欠凹溝２９の凹み量は、保護材１５の厚さとほほ等しくされ、保護材１５を切欠凹溝２９に嵌着した際に、背フレーム本体１４と保護材１５の外側面とが同一面に整合するようにしてある。
【００２９】
背フレーム本体１４における両側部フレーム１４a、１４aに形成された凸条３０に、左右の保護材１５、１５に形成された凹溝３１を、保護材１５を外開き状に弾性変形させながら嵌着することにより、両保護材１５は、背フレーム本体１４の両側面に取付けられている。
【００３０】
張り材１２は、高張力で伸縮性を有する合成繊維、例えばポリアミド繊維やポリプロピレン繊維等をメッシュ状に編むか、または織ったものよりなり、下方が開口する袋状に形成されている。張り材１２の寸法は、背フレーム１１に張り材１２を被せたとき、張り材１２に適切な張力が付与されるように予め定められている。
【００３１】
張り材１２における座者の背中を支える部分、すなわち側部フレーム１４aの折曲部１６よりも上方の部分は、通気性及び透光性を有するように、メッシュの目の粗い低密度部３２とされ、また、座者の腰部付近を支える、屈曲部１６より下方の部分は、下部フレーム１４cにおける背杆８の取付部が外部より見えにくいように、上部よりもメッシュの目の細かい高密度部３３としてある。
【００３２】
張り材１２は、背フレーム１１に上方より被せた後、下端部を、背フレーム本体１４の下端に取付けた底板２３の下面に、タッキング等により固定し、かつ背凭れ下部カバー２４により挟み込むことにより、背フレーム１１に、所定の緊張状態で張設されている。
【００３３】
このように、張り材１２の上部に低密度部３２を、下部に高密度部３３を設けると、前側の張り材１２a の上部の張力が、下部の張力よりも小さくなり、前側の張り材１２a の上部の後方への撓み量が、下部の撓み量よりも大きくなる。
これにより、座者の背中を支える前側の張り材１２a の上部が後方に撓み易くなるとともに、腰部付近を支える前側の張り材１２a の下部の撓み量が小さくなって、ランバーサポート的な機能を有するようになるため、快適な座り心地が得られる。
【００３４】
張り材１２の張設後においては、上部フレーム１４b、下部フレーム１４c、及び中間フレーム１４dは、それぞれ後向きに凸円弧状に緩やかに湾曲されているので、後側の張り材１２bが、後方に凸曲面状に膨らみ、前側の張り材１２a との対向面間に大きな空間が形成されるようになる。
これにより、前側の張り材１２a の後方への撓み量を大とすることができ、快適な座り心地が得られるだけでなく、背凭れ１０にボリューム感を持たせることができるので、体裁がよい。
【００３５】
以上説明したように、上記実施形態の背凭れ１０においては、硬質材料により形成された背フレーム本体１４における左右の側部フレーム１４a，１４aの外側面と、上部フレーム１４bの連結角部とに、背フレーム本体１４よりも軟質の材料よりなる保護材１５、１５を取り付けているので、保護材１５を取り付けた部分の背フレーム本体１４の外側の張り材１２が、他の什器と擦れたり、ぶつかったりしても、張り材１２が破損したりすることはない。
【００３６】
また、背フレーム１１が他の什器にぶつかったりしても、保護材１５がクッションの役目をし、外力を吸収して衝撃力を緩和するので、什器に損傷を与えることはない。
【００３７】
なお、上記実施形態では、背フレーム本体１４側に凸条３０を、保護材１５側に凹溝３１を設けているが、それらを逆に設けてもよい。
また、保護材１５は、ねじまたは接着等により取り付けることもある。
【図面の簡単な説明】
【００３８】
【図１】本発明の一実施形態を備える椅子の正面図である。
【図２】同じく、椅子の側面図である。
【図３】同じく、背凭れの分解斜視図である。
【図４】同じく、背凭れの中央縦断拡大側面図である。
【図５】図４のV−V線の要部の拡大横断平面断面図である。
【図６】図５のVI部の拡大図である。
【符号の説明】
【００３９】
１    椅子
２    キャスタ
３    脚杆
４    脚体
５    脚柱
６    支基
７    座体
８    背杆
８a   起立部
９    ガススプリング
１０  背凭れ
１１  背フレーム
１２  張り材
１２a 前側の張り材
１２b 後側の張り材
１３  連結板
１４  背フレーム本体
１４a 側部フレーム
１４b 上部フレーム
１４c 下部フレーム
１４d 中間フレーム
１５  保護材
１６  中間部(折曲部)
１７  取付孔
１８  銘板
１９  取付孔
２０  取付板
２１  取付ねじ
２２  凹部
２３  底板
２４  背凭れ下部カバー
２５  開口
２６  開口
２７  取付板
２８  背凭れ後部カバー
２９  切欠き凹部
３０  凸条
３１  凹溝
３２  低密度部
３３  高密度部
【図１】
2009112396.tif 000003
【図２】
2009112396.tif 000004
【図３】
2009112396.tif 000005
【図４】
2009112396.tif 000006
【図５】
2009112396.tif 000007
【図６】
2009112396.tif 000008